(57)【要約】【課題】蓄電装置を効率的に、経済的に充電できるエネルギ・マネジメント・システム１０を提供する。【解決手段】エネルギ・マネジメント・システムは、運用計画生成部と、電力量特定部と、充放電電力特定部と、充放電計画生成部とを備える。運用計画生成部は、二次電池の運用計画を生成する。電力量特定部は、前記運用計画生成部が生成した運用計画の時間帯ごとに、当該時間帯で充放電すべき電力量を特定する。充放電電力特定部は、前記電力量特定部が特定した電力量を、前記時間帯内で充放電するときに、充放電効率が最も高くなる充放電電力を特定する。充放電計画生成部は、前記充放電電力で、前記電力量特定部が特定した電力量を前記二次電池に充放電させる充放電計画を生成する。【選択図】図１
2015126694.tif 000002
【特許請求の範囲】
【請求項１】
二次電池の運用計画を生成する運用計画生成部と、
前記運用計画生成部が生成した運用計画の時間帯ごとに、当該時間帯で充放電すべき電力量を特定する電力量特定部と、
前記電力量特定部が特定した電力量を、前記時間帯内で充放電するときに、充放電効率が最も高くなる充放電電力を特定する充放電電力特定部と、
特定した前記充放電電力で、前記電力量特定部が特定した電力量を前記二次電池に充放電させる充放電計画を生成する充放電計画生成部と
を備えるエネルギ・マネジメント・システム。
【請求項２】
前記充放電電力特定部は、前記充放電効率が最も高くなる充放電電力を特定する際、前記二次電池の残存容量を充放電効率で除算したうえで、前記充放電効率が最も高くなる充放電電力を特定する
請求項１に記載のエネルギ・マネジメント・システム。
【請求項３】
前記充放電計画生成部が生成した前記充放電計画に基づいて電力変動を緩和する充放電計画を生成するフィルタを備える
請求項１または請求項２に記載のエネルギ・マネジメント・システム。
【請求項４】
請求項１から請求項３の何れか１つのエネルギ・マネジメント・システムと、
前記エネルギ・マネジメント・システムが備える充放電計画生成部が生成する充放電計画に基づいて、制御信号を出力する制御装置と、
前記制御装置が出力する制御信号に基づいて、直流電力と交流電力とを双方向に電力変換可能なインバータと、
を備える電力システム。
【請求項５】
二次電池の目標容量を充放電効率で除算したうえで、充放電効率が最も高くなる充放電電力を特定する充放電電力特定部を備えるエネルギ・マネジメント・システム。
【請求項６】
充放電電力で二次電池に充放電させる充放電計画における電力変動を緩和するフィルタを備えるエネルギ・マネジメント・システム。
【請求項７】
二次電池の運用計画を生成し、
生成した運用計画の時間帯ごとに、当該時間帯で充放電すべき電力量を特定し、
特定した電力量を、前記時間帯内で充放電するときに、充放電効率が最も高くなる充放電電力を特定し、
前記充放電電力で、特定した電力量を前記二次電池に充放電させる充放電計画を生成する
エネルギ管理方法。
【請求項８】
エネルギ・マネジメント・システムのコンピュータを、
二次電池の運用計画を生成する運用計画生成手段と、
前記運用計画生成手段が生成した運用計画の時間帯ごとに、当該時間帯で充放電すべき電力量を特定する電力量特定手段と、
前記電力量特定手段が特定した電力量を、前記時間帯内で充放電するときに、充放電効率が最も高くなる充放電電力を特定する充放電電力特定手段と、
前記充放電電力で、前記電力量特定手段が特定した電力量を前記二次電池に充放電させる充放電計画を生成する充放電計画生成手段
として機能させるためのプログラム。
【発明の詳細な説明】
【技術分野】
【０００１】
本発明は、エネルギ・マネジメント・システム、電力システム、エネルギ管理方法、及びプログラムに関する。
【背景技術】
【０００２】
太陽光発電装置や風力発電装置が発電する電力は天候によって変動する。ビルやタウンに太陽光発電装置や風力発電装置などの分散型電源が大量に導入された場合、分散型電源が出力する電力変動によりビルやタウンの系統に電力変動が発生することが考えられる。
特許文献１には、分散型電源を使用した場合に系統に発生する電力変動を抑制すると共に、蓄電装置の残存容量を管理する技術が記載されている。
【先行技術文献】
【特許文献】
【０００３】
【特許文献１】特開２０１１−５５６７１号公報
【発明の概要】
【発明が解決しようとする課題】
【０００４】
ところで、蓄電システムなどが備える蓄電装置の充電には商用系統からの電力を利用することが多い。そのため、蓄電装置を効率的に、経済的に充電するための技術が求められていた。
【０００５】
そこでこの発明は、上記の課題を解決することのできるエネルギ・マネジメント・システム、電力システム、エネルギ管理方法、及びプログラムを提供することを目的としている。
【課題を解決するための手段】
【０００６】
上記目的を達成するために、本発明の一態様によれば、エネルギ・マネジメント・システムは、二次電池の運用計画を生成する運用計画生成部と、前記運用計画生成部が生成した運用計画の時間帯ごとに、当該時間帯で充放電すべき電力量を特定する電力量特定部と、前記電力量特定部が特定した電力量を、前記時間帯内で充放電するときに、充放電効率が最も高くなる充放電電力を特定する充放電電力特定部と、特定した前記充放電電力で、前記電力量特定部が特定した電力量を前記二次電池に充放電させる充放電計画を生成する充放電計画生成部とを備える。
【０００７】
また本発明の別の態様によれば、エネルギ・マネジメント・システムが備える前記充放電電力特定部は、前記充放電効率が最も高くなる充放電電力を特定する際、前記二次電池の残存容量を充放電効率で除算したうえで、前記充放電効率が最も高くなる充放電電力を特定する。
【０００８】
また本発明の別の態様によれば、エネルギ・マネジメント・システムは、前記充放電計画生成部が生成した前記充放電計画に基づいて電力変動を緩和する充放電計画を生成するフィルタを備える。
【０００９】
また本発明の別の態様によれば、電力システムは、上記エネルギ・マネジメント・システムと、前記エネルギ・マネジメント・システムが備える充放電計画生成部が生成する充放電計画に基づいて、制御信号を出力する制御装置と、前記制御装置が出力する制御信号に基づいて、直流電力と交流電力とを双方向に電力変換可能なインバータを備える。
【００１０】
また本発明の別の態様によれば、エネルギ・マネジメント・システムは、二次電池の目標容量を充放電効率で除算したうえで、充放電効率が最も高くなる充放電電力を特定する充放電電力特定部を備える。
【００１１】
また本発明の別の態様によれば、エネルギ・マネジメント・システムは、充放電電力で二次電池に充放電させる充放電計画における電力変動を緩和するフィルタを備える。
【００１２】
また本発明の別の態様によれば、二次電池の運用計画を生成し、生成した運用計画の時間帯ごとに、当該時間帯で充放電すべき電力量を特定し、特定した電力量を、前記時間帯内で充放電するときに、充放電効率が最も高くなる充放電電力を特定し、前記充放電電力で、特定した電力量を前記二次電池に充放電させる充放電計画を生成するエネルギ管理方法。
【００１３】
また本発明の別の態様によれば、プログラムは、エネルギ・マネジメント・システムのコンピュータを、二次電池の運用計画を生成する運用計画生成手段と、前記運用計画生成手段が生成した運用計画の時間帯ごとに、当該時間帯で充放電すべき電力量を特定する電力量特定手段と、前記電力量特定手段が特定した電力量を、前記時間帯内で充放電するときに、充放電効率が最も高くなる充放電電力を特定する充放電電力特定手段と、前記充放電電力で、前記電力量特定手段が特定した電力量を前記二次電池に充放電させる充放電計画を生成する充放電計画生成手段として機能させる。
【発明の効果】
【００１４】
本発明の実施形態によるエネルギ・マネジメント・システムによれば、蓄電装置を効率的に、経済的に充電できる。
【図面の簡単な説明】
【００１５】
【図１】本発明の第一の実施形態によるエネルギ・マネジメント・システム１０を備える電力システム１の構成の一例を示す図である。
【図２】第一の実施形態による運用計画生成部１０２が生成する二次電池２０３の運用計画の一例を示す図である。
【図３】第一の実施形態による電力量特定部１０３が特定する二次電池２０３を時間帯ごとに充放電すべき電力量の一例を示す図である。
【図４】第一の実施形態による充放電電力特定部１０４が二次電池２０３を充放電する際の充放電効率の一例を示す図である。
【図５】充放電効率が最も高くなる充放電電力で二次電池２０３を充放電させる充放電計画の一例を示す図である。
【図６】フィルタ１０６が充放電計画における電力の変化を緩和する一例を示す図である。
【図７】第二の実施形態による電力量特定部１０３が特定する目標電力量の一例を示す図である。
【図８】充放電効率が最も高くなる充放電電力で二次電池２０３を充放電させる充放電計画の一例を示す図である。
【発明を実施するための形態】
【００１６】
＜第一の実施形態＞
図１は、本発明の第一の実施形態によるエネルギ・マネジメント・システム１０を備える電力システム１の構成の一例を示す図である。
図１で示す第一の実施形態による電力システム１は、ビルやタウンで使用される例を示している。図１には、電力システム１と共に、系統２と、通信網３と、電力検出部３０と、発電設備４０と、負荷設備５０と、通信装置３１１と、通信装置４１１と、通信装置５１１が示されている。
【００１７】
図１で示すように、第一の実施形態による電力システム１は、エネルギ・マネジメント・システム１０と、蓄電システム２０とを備える。
エネルギ・マネジメント・システム１０は、情報取得部１０１と、運用計画生成部１０２と、電力量特定部１０３と、充放電電力特定部１０４と、充放電計画生成部１０５と、フィルタ１０６と、記憶部１０７と、通信装置１１１とを備える。
蓄電システム２０は、制御装置２０１と、インバータ２０２と、二次電池２０３と、通信装置２１１とを備える。
【００１８】
エネルギ・マネジメント・システム１０が備える情報取得部１０１は、外部から情報を取得する。情報取得部１０１は、外部の入力装置または通信装置１１１を介して、気象情報、発電設備４０が発電する発電電力情報、負荷設備５０が消費する消費電力情報、二次電池２０３の充電率の情報など、電力システム１に用いる情報を取得する。情報取得部１０１は、取得した情報を記憶部１０７に記録する。情報取得部１０１は、取得した情報を運用計画生成部１０２に出力する。
【００１９】
運用計画生成部１０２は、二次電池２０３の運用計画を生成する。運用計画生成部１０２は、情報取得部１０１から入力した情報、過去の発電電力情報や消費電力情報などの実績情報、時間帯ごとの電気料金情報などに基づいて、二次電池２０３の運用計画を生成する。運用計画生成部１０２は、生成した運用計画を電力量特定部１０３に出力する。
【００２０】
電力量特定部１０３は、二次電池２０３の運用計画の時間帯ごとに、当該時間帯で充放電すべき電力量を特定する。電力量特定部１０３は、運用計画生成部１０２から入力した運用計画に基づいて、二次電池２０３の運用計画の時間帯で充放電すべき電力量を特定する。電力量特定部１０３は、特定した電力量を充放電電力特定部１０４に出力する。
【００２１】
充放電電力特定部１０４は、電力量特定部１０３が特定した電力量を、二次電池２０３の運用計画の時間帯内で充放電するときに、充放電効率が最も高くなる充放電電力を特定する。充放電電力特定部１０４は、電力量特定部１０３から入力した電力量特定部１０３が特定した電力量、充放電時の電力と効率の関係に基づいて、充放電効率が最も高くなる充放電電力を特定する。充放電電力特定部１０４は、特定した充放電効率が最も高くなる充放電電力を充放電計画生成部１０５に出力する。
【００２２】
充放電計画生成部１０５は、電力量特定部１０３が特定した電力量を二次電池２０３に充放電させる充放電計画を生成する。充放電計画生成部１０５は、充放電電力特定部１０４から入力した充放電効率が最も高くなる充放電電力に基づいて、電力量特定部１０３が特定した電力量を二次電池２０３に充放電させる充放電計画を生成する。充放電計画生成部１０５は、生成した充放電計画をフィルタ１０６に出力する。
【００２３】
フィルタ１０６は、充放電計画生成部１０５が生成した充放電計画における電力計画の変化を緩和する。フィルタ１０６は、電力計画の変化を緩和した充放電計画を通信装置１１１を介して通信装置２１１に送信する。
記憶部１０７は、電力システム１に必要な情報を記憶する。
通信装置１１１は、通信網３を介して、通信装置２１１、３１１、４１１、５１１と通信する。
【００２４】
蓄電システム２０が備える制御装置２０１は、インバータ２０２を制御する。制御装置２０１は、通信装置２１１を介して入力したフィルタ１０６が電力計画の変化を緩和した充放電計画や、電力検出部３０の電力検出結果に基づいて、インバータ２０２にインバータ制御信号を出力する。
【００２５】
インバータ２０２は、双方向インバータである。インバータ２０２は、二次電池２０３が出力する直流電力を交流電力に変換する。インバータ２０２は、変換した交流電力を系統２に出力、すなわち放電する。インバータ２０２は、系統２の交流電力を直流電力に変換する。インバータ２０２は、変換した直流電力を二次電池２０３に出力、すなわち充電する。インバータ２０２は、制御装置２０１から入力したインバータ制御信号に基づいて、二次電池２０３を充放電する。
二次電池２０３は、インバータ２０２を介して系統２との間で電力を充放電する。
通信装置２１１は、通信網３を介して、通信装置１１１、３１１、４１１、５１１と通信する。
【００２６】
電力検出部３０は、系統２における電力を検出する。電力検出部３０は、検出した電力を通信装置３１１を介して、通信装置２１１に送信する。電力検出部３０が検出する系統２における電力は、系統２の商用電力と、蓄電システム２０が充放電する電力と、発電設備４０が発電する電力と、負荷設備５０が消費する電力の総和で示される電力である。
通信装置３１１は、通信網３を介して、通信装置１１１、２１１、４１１、５１１と通信する。
【００２７】
発電設備４０は、電力を発電する。発電設備４０は、発電した電力の発電電力情報を通信装置４１１を介して、通信装置１１１に送信する。発電設備４０は、例えば本実施形態では太陽光発電装置や風力発電装置などの再生可能エネルギ発電を行う装置である。本発明の実施形態では、ビルやタウンが発電設備４０を備えるものとする。
通信装置４１１は、通信網３を介して、通信装置１１１、２１１、３１１、５１１と通信する。
【００２８】
負荷設備５０は、電力を消費する。負荷設備５０は、消費した電力の消費電力情報を通信装置５１１を介して、通信装置１１１に送信する。負荷設備５０は、照明、エレベータ、エスカレータなどの電力を消費するビルやタウンが備える設備である。
通信装置５１１は、通信網３を介して、通信装置１１１、２１１、３１１、４１１と通信する。
系統２は、交流電力を送受電する。具体的には、系統２は、蓄電システム２０と交流電力を送受電する。系統２は、発電設備４０から電力を受電する。系統２は、負荷設備５０に電力を送電する。
通信網３は、通信装置１１１、２１１，３１１，４１１，５１１間で行う通信の通信情報を伝送する。
【００２９】
次に、電力システム１が備えるエネルギ・マネジメント・システム１０が蓄電システム２０に出力する充放電計画がどのように生成されるかを説明する。
記憶部１０７は、情報取得部１０１が過去に、外部の入力装置または通信装置１１１を介して取得した、気象情報、発電設備４０が発電する発電電力情報、負荷設備５０が消費する消費電力情報、二次電池２０３の充電率など、電力システム１に必要な情報を記憶しているものとする。
情報取得部１０１は、外部の入力装置または通信装置１１１を介して、電力システム１を運用日の気象情報を取得する。情報取得部１０１は、電力システム１の現在（運用日）の二次電池２０３の充電率を取得する。情報取得部１０１は、電力システム１を運用日の時間帯ごとの電気料金情報を取得する。情報取得部１０１は、取得した気象情報と、二次電池２０３の充電率の情報と、電気料金情報とを運用計画生成部１０２に出力する。
運用計画生成部１０２は、情報取得部１０１から気象情報と、二次電池２０３の充電率の情報と、電気料金情報とを入力すると、過去の気象情報と発電設備４０の発電電力の関係を示す実績情報を記憶部１０７から読み出す。運用計画生成部１０２は、過去の気象情報と負荷設備５０の消費電力の関係を示す実績情報を記憶部１０７から読み出す。運用計画生成部１０２は、気象情報と、二次電池２０３の充電率の情報と、電気料金情報と、過去の気象情報と発電設備４０の発電電力の関係を示す実績情報と、過去の気象情報と負荷設備５０の消費電力の関係を示す実績情報とに基づいて、二次電池２０３の運用計画を生成する。
【００３０】
図２は、第一の実施形態による運用計画生成部１０２が生成する二次電池２０３の運用計画の一例を示す図である。
この図で示す運用計画の縦軸は残存容量計画である。また、この図で示す運用計画の横軸は時間［分］である。
例えば、記憶部１０７に過去の気象情報と発電設備４０の発電電力と負荷設備５０の消費電力の関係を示す実績情報がデータベースとして記録されているとする。運用計画生成部１０２は、そのデータベースを読み出す。運用計画生成部１０２は、電力システム１を運用日が１０月１０日であり気象情報として晴れ情報である場合、そのデータベースから過去の１０月１０日前後の日付で晴れの気象情報が最も近い気象情報を特定する。運用計画生成部１０２は、データベースの特定した気象情報に関連付けられている発電電力と消費電力のそれぞれを電力発電設備４０の発電電力と、負荷設備５０の消費電力とみなす。運用計画生成部１０２は、これらの電力からどの時間帯にどの程度の電力要求があるかを特定する。
また、運用計画生成部１０２は、最新の電気料金情報から電気料金が比較的安い時間帯と比較的高い時間帯を特定する。そして、運用計画生成部１０２は、電気料金が安い時間帯に二次電池２０３を充電し、電気料金が高い時間帯に二次電池２０３を放電することにより、ダイナミックプライシングを実現するように計画する。また、運用計画生成部１０２は、系統２側からの消費電力の低減要求であるデマンドレスポンスやピーク電力の低減要求であるピークカットなどにも対応できるように計画する。
このように、運用計画生成部１０２は、図２で示すような二次電池２０３の運用計画を生成する。そして、運用計画生成部１０２は、生成した運用計画を電力量特定部１０３に出力する。
【００３１】
電力量特定部１０３は、運用計画生成部１０２から運用計画を入力すると、二次電池２０３の運用計画の時間帯ごとに、当該時間帯で充放電すべき電力量を特定する。電力量特定部１０３が入力する運用計画は、二次電池２０３の残存容量計画、すなわち二次電池２０３が蓄える電力量をどのように変化させるかの計画である。従って、電力量特定部１０３は、図２で示した残存容量計画の変化量を求め、その変化量となるような電力で二次電池２０３を充放電する。
【００３２】
図３は、第一の実施形態による電力量特定部１０３が特定する二次電池２０３を時間帯ごとに充放電すべき電力量の一例を示す図である。
この図で示す二次電池２０３を時間帯ごとに充放電すべき電力量（以下、目標電力量）の縦軸は電力量計画である。また、この図で示す目標電力量の横軸は時間［分］である。
例えば、電力量特定部１０３は、運用計画生成部１０２から入力した運用計画を時間微分する。これにより、電力量特定部１０３は、残存容量計画の変化量を演算し求める。そして、電力量特定部１０３は、所定の時間帯ごと、例えば３０分ごとに残存容量計画の変化量を特定する。ここで電力量特定部１０３が所定の時間帯ごとに特定した残存容量計画が、目標電力量である。
このように、電力量特定部１０３は、図３で示すような目標電力量を特定する。そして、電力量特定部１０３は、特定した目標電力量を充放電電力特定部１０４に出力する。
【００３３】
充放電電力特定部１０４は、電力量特定部１０３から目標電力量を入力すると、目標電力量を時間帯内で充放電するときに、充放電効率が最も高くなる充放電電力を特定する。
ところで、二次電池２０３を充電する場合、（交流端充電電力量［キロワット時］）＝（残存容量増加計画［キロワット時］）÷（充電効率）÷（放電効率）で求められる効率を求めることが望ましい。二次電池２０３を充電する場合に抵抗によって熱となる損失が発生する。そのため、二次電池２０３に１０［キロワット時］の電力量を充電するには損失として失われる電力を差し引いて１０［キロワット時］になるように充電する必要がある。
なお、目標電力量は放電効率を含んだ電力量である。そのため、二次電池２０３の充電時には放電効率で除算する必要がある。また、二次電池２０３の放電時には放電効率で乗算する必要がない。
【００３４】
図４は、第一の実施形態による充放電電力特定部１０４が二次電池２０３を充放電する際の充放電効率の一例を示す図である。
この図で示す二次電池２０３の充放電効率の縦軸は効率［パーセント］である。また、この図で示す二次電池２０３の充放電効率の横軸は充放電する電力［キロワット］である。
例えば、充放電電力特定部１０４は、図４における最大の充電効率の電力で時間帯を示す時間充電した場合の、放電効率を含む残存容量の増加量を（残存容量増加量［キロワット時］）＝（充電電力［キロワット］）×（充電効率）×（放電効率）×（時間［時］）と算出する。そして、充放電電力特定部１０４は、算出した（残存容量増加量［キロワット時］）と、目標電力量とを比較する。
【００３５】
残存容量増加量が目標電力量よりも大きい場合、目標電力量を所定の時間帯内に充電できることがわかる。そのため、充放電電力特定部１０４は、最大の効率となる電力Ａで充電し、時間帯に充放電すべき電力量に達した場合に充電を終了するように充放電計画を生成する。
【００３６】
残存容量増加量が目標電力量よりも小さい場合、最大の充電効率に対応する電力Ａで二次電池２０３を充電しても所定の時間帯内に充電が完了しないことを示している。
この場合、充放電電力特定部１０４は、充電電力を電力Ａよりも大きくして再計算する。そして、充放電電力特定部１０４は、目標電力量を所定の時間内で充電できる電力になるまで大きくする。
【００３７】
また、充放電電力特定部１０４は、図４における最大の放電効率の電力に時間帯を示す時間を乗算した電力量と、目標電力量とを比較する。そして、充電の場合と同様に、最大の放電効率の電力に時間帯を乗算した電力量が目標電力量よりも大きい場合、充放電電力特定部１０４は、最大の効率となる電力Ｂで放電し、目標電力量に達した場合に放電を終了するように充放電計画を生成する。
【００３８】
最大の放電効率の電力に時間帯を乗算した電力量が目標電力量よりも小さい場合、最大の放電効率に対応する電力Ｂで二次電池２０３を放電しても所定の時間帯内に放電が完了しないことを示している。
この場合、充放電電力特定部１０４は、放電電力を電力Ｂよりも大きくして再計算する。そして、充放電電力特定部１０４は、目標電力量を所定の時間内で放電できる電力になるまで大きくする。
このようにすることで、充放電電力特定部１０４は、所定の時間帯内の充放電効率が最も高くなる充放電電力を特定することができる。充放電電力特定部１０４は、各時間帯に対して充放電効率が最も高くなる充放電電力を特定する度に、特定した充放電電力における充放電時間を算出する。そして、充放電電力特定部１０４は、特定した充放電電力と充放電時間とを算出する度に充放電計画生成部１０５に出力する。
【００３９】
充放電計画生成部１０５は、充放電電力特定部１０４から充放電電力と充放電時間とを入力する度に、入力した充放電電力と充電時間とを１つのデータテーブルに追加して充放電効率が最も高くなる充放電電力で二次電池２０３に充放電させる充放電計画を生成する。
【００４０】
図５は、充放電効率が最も高くなる充放電電力で二次電池２０３を充放電させる充放電計画の一例を示す図である。
この図で示す充放電効率が最も高くなる充放電電力で二次電池２０３を充放電させる充放電計画の縦軸は電力計画［キロワット］である。また、この図で示す充放電効率が最も高くなる充放電電力で二次電池２０３を充放電させる充放電計画の横軸は時間［分］である。
充放電計画生成部１０５が生成する充放電計画は、充放電効率のよい充放電電力で時間帯の一部の時間だけ充放電させる計画である。
充放電計画生成部１０５は、生成した充放電計画をフィルタ１０６に出力する。
【００４１】
フィルタ１０６は、充放電計画生成部１０５から充放電計画を入力すると、入力した充放電計画における電力の変化を緩やかにする。
【００４２】
図６は、フィルタ１０６が充放電計画における電力の変化を緩和する一例を示す図である。
この図で示す充放電計画における電力の変化の緩和の縦軸は電力計画［キロワット］である。また、この図で示す充放電計画における電力の変化の緩和の横軸は時間［分］である。
この図は、図５において破線で示す箇所を拡大したものである。この図で示す破線は充放電計画生成部１０５が出力した充放電計画であり、実線はフィルタ１０６が出力した充放電計画である。
破線で示す充放電計画生成部１０５が出力する充放電計画がフィルタ１０６を通過せずに通信装置２１１に出力された場合、充放電計画を受信する制御装置２０１は、インバータ２０２に対して二次電池２０３の充電電力を急激に増大させる制御を行う。その場合、系統２の電力が急激に変動する。電力検出部３０は系統２の電力変動を検出して、通信装置３１１を介して通信装置２１１に送信する。制御装置２０１は、電力検出部３０が検出した系統２の電力変動を抑制するようにインバータ２０２を制御し二次電池２０３を放電する。このように、系統２の電力変動を検出した電力検出部３０が直接検出結果を通信装置２１１に出力する。しかしながら、制御装置２０１が電力検出部３０の検出結果を受信し、インバータ２０２を直ちに制御を開始しても、実際に電力変動が抑制されるまでにはタイムラグが生じてしまう。
【００４３】
それに対して、破線で示す充放電計画生成部１０５が出力する充放電計画がフィルタ１０６を通過して通信装置２１１に出力された場合、充放電計画を受信する制御装置２０１は、インバータ２０２に対して二次電池２０３の充電電力を徐々に増大させる制御を行う。その場合、系統２の電力が徐々に変動する。電力検出部３０は系統２の電力変動を検出して、通信装置３１１を介して通信装置２１１に送信する。制御装置２０１は、電力検出部３０が検出した系統２の電力変動を抑制するようにインバータ２０２を制御し二次電池２０３を放電する。このように、系統２の電力変動を検出した電力検出部３０が直接検出結果を通信装置２１１に出力する。制御装置２０１が電力検出部３０の検出結果を受信し、インバータ２０２を直ちに制御し、二次電池２０３を放電させる。フィルタ１０６を用いる場合、二次電池２０３の充放電はゆっくり行われるので、制御装置２０１を備える蓄電システム２０は、系統２における電力変動を抑制することができる。
【００４４】
以上、本発明の実施形態によるエネルギ・マネジメント・システム１０と蓄電システム２０を備える電力システム１について説明した。
本発明の実施形態によるエネルギ・マネジメント・システム１０は、運用計画生成部１０２と、電力量特定部１０３と、充放電電力特定部１０４と、充放電計画生成部１０５とを備える。運用計画生成部１０２は、二次電池２０３の運用計画（時刻と二次電池２０３の残存容量との関係を示す）を生成する。電力量特定部１０３は、運用計画生成部１０２が生成した運用計画の時間帯ごとに、当該時間帯で充放電すべき電力量を特定する。充放電電力特定部１０４は、電力量特定部１０３が特定した電力量を、時間帯内で充放電するときに、充放電効率が最も高くなる充放電電力を特定する。充放電計画生成部１０５は、充放電電力で、電力量特定部１０３が特定した電力量を二次電池２０３に充放電させる充放電計画を生成する。
このようにすれば、電力システム１は蓄電装置を効率的に、経済的に充電できる。
【００４５】
＜第二の実施形態＞
本発明の第二の実施形態によるエネルギ・マネジメント・システム１０と蓄電システム２０を備える電力システム１について説明する。
第二の実施形態によるエネルギ・マネジメント・システム１０の電力量特定部１０３、充放電電力特定部１０４と、充放電計画生成部１０５は、時間帯が二次電池２０３の充放電の隣り合った切り替わりの間隔であるものとして演算する。
【００４６】
図７は、第二の実施形態による電力量特定部１０３が特定する目標電力量の一例を示す図である。
この図で示す目標電力量の縦軸は電力量計画である。第二の実施形態による電力量特定部１０３は、時間帯が二次電池２０３の充放電の隣り合った切り替わりの間隔であるものとしている。従って、図７で示すように、時間帯の長さは様々である。
【００４７】
図８は、充放電効率が最も高くなる充放電電力で二次電池２０３を充放電させる充放電計画の一例を示す図である。
この図で示す充放電効率が最も高くなる充放電電力で二次電池２０３を充放電させる充放電計画の縦軸は電力計画［キロワット］である。また、この図で示す充放電効率が最も高くなる充放電電力で二次電池２０３を充放電させる充放電計画の横軸は時間［分］である。
充放電計画生成部１０５が生成する充放電計画は、第一の実施形態による充放電計画生成部１０５が生成する充放電計画とは異なり、時間帯は二次電池２０３の充放電の隣り合った切り替わりの間隔である。
【００４８】
以上、本発明の実施形態によるエネルギ・マネジメント・システム１０と蓄電システム２０を備える電力システム１について説明した。
本発明の実施形態によるエネルギ・マネジメント・システム１０は、運用計画生成部１０２と、電力量特定部１０３と、充放電電力特定部１０４と、充放電計画生成部１０５とを備える。運用計画生成部１０２は、二次電池２０３の運用計画（時刻と二次電池２０３の容量との関係を示す）を生成する。電力量特定部１０３は、運用計画生成部１０２が生成した運用計画の時間帯ごとに、当該時間帯で充放電すべき電力量を特定する。充放電電力特定部１０４は、電力量特定部１０３が特定した電力量を、時間帯内で充放電するときに、充放電効率が最も高くなる充放電電力を特定する。充放電計画生成部１０５は、充放電効率が最も高くなる充放電電力で、電力量特定部１０３が特定した電力量を二次電池２０３に充放電させる充放電計画を生成する。
このようにすれば、電力システム１は蓄電装置を効率的に、経済的に充電できる。
【００４９】
なお本発明の実施形態について説明したが、上述のエネルギ・マネジメント・システム１０、蓄電システム２０は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００５１】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができるものである。
【符号の説明】
【００５２】
１・・・電力システム
２・・・系統
３・・・通信網
１０・・・エネルギ・マネジメント・システム
２０・・・蓄電システム
３０・・・電力検出部
４０・・・発電設備
５０・・・負荷設備
１０１・・・情報取得部
１０２・・・運用計画生成部
１０３・・・電力量特定部
１０４・・・充放電電力特定部
１０５・・・充放電計画生成部
１０６・・・フィルタ
１０７・・・記憶部
１０８・・・効率演算補正部
１１１、２１１、３１１、４１１、５１１・・・通信装置
２０１・・・制御装置
２０２・・・インバータ
２０３・・・二次電池
【図１】
2015126694.tif 000003
【図２】
2015126694.tif 000004
【図３】
2015126694.tif 000005
【図４】
2015126694.tif 000006
【図５】
2015126694.tif 000007
【図６】
2015126694.tif 000008
【図７】
2015126694.tif 000009
【図８】
2015126694.tif 000010